(57)【要約】【課題】  メディアの空き容量に応じて高画質・高音質で情報を記録することができ、長時間の録画・録音であっても記録することのできる情報記録技術を提供する。【解決手段】  画像、音声の少なくとも一つを含む物理データを取得して電気的なデジタルデータに変換するデータ変換手段（１３）と、前記データ変換手段で変換した前記デジタルデータを圧縮するデータ圧縮手段（１５）と、前記データ圧縮手段で圧縮された圧縮データを記憶媒体（１６）に記憶する記憶手段（１４）と、前記記憶媒体の空き容量の情報を取得する空きメモリ情報取得手段（１４）と、前記空きメモリ情報取得手段で取得した前記記憶媒体の空き容量の情報をもとに前記データ圧縮手段の圧縮率を更新する圧縮率更新手段（１７）と、前記記憶媒体に記憶された前記圧縮データを前記更新された圧縮率で再圧縮する再圧縮手段（１５）とを有する情報記録装置（１０）である。【選択図】      図１
2007200391.tif 000002
【特許請求の範囲】
【請求項１】
画像、音声の少なくとも一つを含む物理データを取得して電気的なデジタルデータに変換するデータ変換手段と、
前記データ変換手段で変換した前記デジタルデータを圧縮するデータ圧縮手段と、
前記データ圧縮手段で圧縮された圧縮データを記憶媒体に記憶する記憶手段と、
前記記憶媒体の空き容量の情報を取得する空きメモリ情報取得手段と、
前記空きメモリ情報取得手段で取得した前記記憶媒体の空き容量の情報をもとに前記データ圧縮手段の圧縮率を更新する圧縮率更新手段と、
前記記憶媒体に記憶された前記圧縮データを前記更新された圧縮率で再圧縮する再圧縮手段と、
を有することを特徴とする情報記録装置。
【請求項２】
前記記憶媒体に記憶された前記圧縮データの圧縮率を取得する圧縮率取得手段と、
前記圧縮率取得手段で取得した圧縮率をもとに、再圧縮する前記記憶媒体に記憶された圧縮データを選択する圧縮データ選択手段とを有し、
前記空きメモリ情報取得で取得した前記記憶媒体の空き容量が所定の値以下になった場合、前記再圧縮手段は、前記圧縮データ選択手段で選択された圧縮データを再圧縮することを特徴とする請求項１に記載の情報記録装置。
【請求項３】
前記圧縮データ選択手段は、圧縮データの圧縮率、サイズ、取得日付、再生履歴の少なくとも一つに基づいて圧縮データを優先的に選択することを特徴とする請求項２に記載の情報記録装置。
【請求項４】
前記物理データは少なくともビデオ又は音声の時系列データであり、
前記データ圧縮手段は前記デジタルデータを所定時間毎のブロック単位に圧縮し、
前記圧縮データ選択手段は、前記データ圧縮手段で圧縮された圧縮データのブロックを選択し、
前記再圧縮手段は、前記圧縮データ選択手段で選択された圧縮データのブロックを再圧縮することを特徴とする請求項２に記載の情報記録装置。
【請求項５】
画像、音声の少なくとも一つを含む物理データを取得して電気的なデジタルデータに変換するデータ変換ステップと、
前記データステップで変換した前記デジタルデータを圧縮するデータ圧縮ステップと、
前記データ圧縮ステップで圧縮された圧縮データを記憶媒体に記憶する記憶ステップと、
前記記憶媒体の空き容量の情報を取得する空きメモリ情報取得ステップと、
前記空きメモリ情報取得ステップで取得した前記記憶媒体の空き容量の情報をもとに前記データ圧縮ステップでの圧縮率を更新する圧縮率更新ステップと、
前記記憶媒体に記憶された前記圧縮データを前記更新された圧縮率で再圧縮する再圧縮ステップと、
を有することを特徴とする情報記録方法。
【請求項６】
前記記憶媒体に記憶された前記圧縮データの圧縮率を取得する圧縮率取得ステップと、
前記圧縮率取得ステップで取得した圧縮率をもとに、再圧縮する前記記憶媒体に記憶された圧縮データを選択する圧縮データ選択ステップとを有し、
前記空きメモリ情報取得で取得した前記記憶媒体の空き容量が所定の値以下になった場合、前記再圧縮ステップは、前記圧縮データ選択ステップで選択された圧縮データを再圧縮することを特徴とする請求項５に記載の情報記録方法。
【請求項７】
前記圧縮データ選択ステップは、圧縮データの圧縮率、サイズ、取得日付、再生履歴の少なくとも一つに基づいて圧縮データを優先的に選択することを特徴とする請求項６に記載の情報記録方法。
【請求項８】
前記物理データは少なくともビデオ又は音声の時系列データであり、
前記データ圧縮ステップは前記デジタルデータを所定時間毎のブロック単位に圧縮し、
前記圧縮データ選択ステップは、前記データ圧縮ステップで圧縮された圧縮データのブロックを選択し、
前記再圧縮ステップは、前記圧縮データ選択ステップで選択された圧縮データのブロックを再圧縮することを特徴とする請求項６に記載の情報記録方法。
【請求項９】
画像、音声の少なくとも一つを含む物理データを取得して電気的なデジタルデータに変換するデータ変換ステップと、
前記データステップで変換した前記デジタルデータを圧縮するデータ圧縮ステップと、
前記データ圧縮ステップで圧縮された圧縮データを記憶媒体に記憶する記憶ステップと、
前記記憶媒体の空き容量の情報を取得する空きメモリ情報取得ステップと、
前記空きメモリ情報取得ステップで取得した前記記憶媒体の空き容量の情報をもとに前記データ圧縮ステップでの圧縮率を更新する圧縮率更新ステップと、
前記記憶媒体に記憶された前記圧縮データを前記更新された圧縮率で再圧縮する再圧縮ステップと、
をコンピュータに実行させるための情報記録プログラム。
【請求項１０】
前記記憶媒体に記憶された前記圧縮データの圧縮率を取得する圧縮率取得ステップと、
前記圧縮率取得ステップで取得した圧縮率をもとに、再圧縮する前記記憶媒体に記憶された圧縮データを選択する圧縮データ選択ステップとを有し、
前記空きメモリ情報取得で取得した前記記憶媒体の空き容量が所定の値以下になった場合、前記再圧縮ステップは、前記圧縮データ選択ステップで選択された圧縮データを再圧縮することを特徴とする請求項９に記載の情報記録プログラム。
【請求項１１】
前記圧縮データ選択ステップは、圧縮データの圧縮率、サイズ、取得日付、再生履歴の少なくとも一つに基づいて圧縮データを優先的に選択することを特徴とする請求項１０に記載の情報記録プログラム。
【請求項１２】
前記物理データは少なくともビデオ又は音声の時系列データであり、
前記データ圧縮ステップは前記デジタルデータを所定時間毎のブロック単位に圧縮し、
前記圧縮データ選択ステップは、前記データ圧縮ステップで圧縮された圧縮データのブロックを選択し、
前記再圧縮ステップは、前記圧縮データ選択ステップで選択された圧縮データのブロックを再圧縮することを特徴とする請求項１０に記載の情報記録プログラム。
【請求項１３】
画像、音声の少なくとも一つを含む物理データを取得して電気的なデジタルデータに変換するデータ変換ステップと、
前記データステップで変換した前記デジタルデータを圧縮するデータ圧縮ステップと、
前記データ圧縮ステップで圧縮された圧縮データを記憶媒体に記憶する記憶ステップと、
前記記憶媒体の空き容量の情報を取得する空きメモリ情報取得ステップと、
前記空きメモリ情報取得ステップで取得した前記記憶媒体の空き容量の情報をもとに前記データ圧縮ステップでの圧縮率を更新する圧縮率更新ステップと、
前記記憶媒体に記憶された前記圧縮データを前記更新された圧縮率で再圧縮する再圧縮ステップと、
をコンピュータに実行させるための情報記録プログラムを記録した記録媒体。
【発明の詳細な説明】
【技術分野】
【０００１】
本発明は、メディアの空き容量に応じて高画質・高音質で情報を記録することができ、長時間の録画・録音であっても記録することのできる情報記録装置、情報記録方法、情報記録プログラム及び記録媒体に関する。
【背景技術】
【０００２】
ＨＤレコーダー等の従来のデジタル式の録画機では、画像を圧縮して記録する際の圧縮率（画質）を、録画予定容量とメディアの残容量とを勘案して、自動的に切替えて設定する（例えば、特許文献１参照）。
【特許文献１】実公平６−２９７８９号公報
【発明の開示】
【発明が解決しようとする課題】
【０００３】
しかし、このような方法では、まだ改善すべき点が残っている。  
例えば、スポーツの中継など、録画予定量が不明な場合、圧縮率を限度まで上げたとしても、記録を途中で断念しなければならないケースがある。  
また録画時間そのものが予測できない場合は、あらかじめ高圧縮＝低画質で録画せざるを得ないが、実際にはメディアに余裕がある場合も多く、メディア容量の有効活用が図れているとは言えないケースもあった。  
このような課題は、ＨＤレコーダーに限ったことではなく、デジタルカメラやＭＰ３プレーヤー等の情報記録装置について指摘できる内容であり、情報処理装置が汎用的に抱える課題である。
【０００４】
本発明は、かかる事情に鑑みてなされたものであり、メディアの空き容量に応じて高画質・高音質で情報を記録することができ、長時間の録画・録音であっても記録することのできる情報記録装置、情報記録方法、情報記録プログラム及び記録媒体を提供することを目的とする。
【課題を解決するための手段】
【０００５】
上記課題を解決するための、本発明に係る請求項１に記載の情報記録装置は、画像、音声の少なくとも一つを含む物理データを取得して電気的なデジタルデータに変換するデータ変換手段と、前記データ変換手段で変換した前記デジタルデータを圧縮するデータ圧縮手段と、前記データ圧縮手段で圧縮された圧縮データを記憶媒体に記憶する記憶手段と、前記記憶媒体の空き容量の情報を取得する空きメモリ情報取得手段と、前記空きメモリ情報取得手段で取得した前記記憶媒体の空き容量の情報をもとに前記データ圧縮手段の圧縮率を更新する圧縮率更新手段と、前記記憶媒体に記憶された前記圧縮データを前記更新された圧縮率で再圧縮する再圧縮手段とを有する。
【０００６】
また、本発明に係る請求項２に記載の情報記録装置は、上記記載の発明である情報記録装置において、前記記憶媒体に記憶された前記圧縮データの圧縮率を取得する圧縮率取得手段と、前記圧縮率取得手段で取得した圧縮率をもとに、再圧縮する前記記憶媒体に記憶された圧縮データを選択する圧縮データ選択手段とを有し、前記空きメモリ情報取得で取得した前記記憶媒体の空き容量が所定の値以下になった場合、前記再圧縮手段は、前記圧縮データ選択手段で選択された圧縮データを再圧縮する。
【０００７】
また、本発明に係る請求項３に記載の情報記録装置は、上記記載の発明である情報記録装置において、前記圧縮データ選択手段は、圧縮データの圧縮率、サイズ、取得日付、再生履歴の少なくとも一つに基づいて圧縮データを優先的に選択する。
【０００８】
また、本発明に係る請求項４に記載の情報記録装置は、上記記載の発明である情報記録装置において、前記物理データは少なくともビデオ又は音声の時系列データであり、前記データ圧縮手段は前記デジタルデータを所定時間毎のブロック単位に圧縮し、前記圧縮データ選択手段は、前記データ圧縮手段で圧縮された圧縮データのブロックを選択し、前記再圧縮手段は、前記圧縮データ選択手段で選択された圧縮データのブロックを再圧縮する。
【０００９】
また、本発明に係る請求項５に記載の情報記録方法は、画像、音声の少なくとも一つを含む物理データを取得して電気的なデジタルデータに変換するデータ変換ステップと、前記データステップで変換した前記デジタルデータを圧縮するデータ圧縮ステップと、前記データ圧縮ステップで圧縮された圧縮データを記憶媒体に記憶する記憶ステップと、前記記憶媒体の空き容量の情報を取得する空きメモリ情報取得ステップと、前記空きメモリ情報取得ステップで取得した前記記憶媒体の空き容量の情報をもとに前記データ圧縮ステップでの圧縮率を更新する圧縮率更新ステップと、前記記憶媒体に記憶された前記圧縮データを前記更新された圧縮率で再圧縮する再圧縮ステップとを有する。
【００１０】
また、本発明に係る請求項６に記載の情報記録方法は、上記記載の発明である情報記録方法において、前記記憶媒体に記憶された前記圧縮データの圧縮率を取得する圧縮率取得ステップと、前記圧縮率取得ステップで取得した圧縮率をもとに、再圧縮する前記記憶媒体に記憶された圧縮データを選択する圧縮データ選択ステップとを有し、前記空きメモリ情報取得で取得した前記記憶媒体の空き容量が所定の値以下になった場合、前記再圧縮ステップは、前記圧縮データ選択ステップで選択された圧縮データを再圧縮する。
【００１１】
また、本発明に係る請求項７に記載の情報記録方法は、上記記載の発明である情報記録方法において、前記圧縮データ選択ステップは、圧縮データの圧縮率、サイズ、取得日付、再生履歴の少なくとも一つに基づいて圧縮データを優先的に選択する。
【００１２】
また、本発明に係る請求項８に記載の情報記録方法は、上記記載の発明である情報記録方法において、前記物理データは少なくともビデオ又は音声の時系列データであり、前記データ圧縮ステップは前記デジタルデータを所定時間毎のブロック単位に圧縮し、前記圧縮データ選択ステップは、前記データ圧縮ステップで圧縮された圧縮データのブロックを選択し、前記再圧縮ステップは、前記圧縮データ選択ステップで選択された圧縮データのブロックを再圧縮する。
【００１３】
また、本発明に係る請求項９に記載の情報記録プログラムは、画像、音声の少なくとも一つを含む物理データを取得して電気的なデジタルデータに変換するデータ変換ステップと、前記データステップで変換した前記デジタルデータを圧縮するデータ圧縮ステップと、前記データ圧縮ステップで圧縮された圧縮データを記憶媒体に記憶する記憶ステップと、前記記憶媒体の空き容量の情報を取得する空きメモリ情報取得ステップと、前記空きメモリ情報取得ステップで取得した前記記憶媒体の空き容量の情報をもとに前記データ圧縮ステップでの圧縮率を更新する圧縮率更新ステップと、前記記憶媒体に記憶された前記圧縮データを前記更新された圧縮率で再圧縮する再圧縮ステップと、をコンピュータに実行させる。
【００１４】
また、本発明に係る請求項１０に記載の情報記録プログラムは、上記記載の発明である情報記録プログラムにおいて、前記記憶媒体に記憶された前記圧縮データの圧縮率を取得する圧縮率取得ステップと、前記圧縮率取得ステップで取得した圧縮率をもとに、再圧縮する前記記憶媒体に記憶された圧縮データを選択する圧縮データ選択ステップとを有し、前記空きメモリ情報取得で取得した前記記憶媒体の空き容量が所定の値以下になった場合、前記再圧縮ステップは、前記圧縮データ選択ステップで選択された圧縮データを再圧縮する。
【００１５】
また、本発明に係る請求項１１に記載の情報記録プログラムは、上記記載の発明である情報記録プログラムにおいて、前記圧縮データ選択ステップは、圧縮データの圧縮率、サイズ、取得日付、再生履歴の少なくとも一つに基づいて圧縮データを優先的に選択する。
【００１６】
また、本発明に係る請求項１２に記載の情報記録プログラムは、上記記載の発明である情報記録プログラムにおいて、前記物理データは少なくともビデオ又は音声の時系列データであり、前記データ圧縮ステップは前記デジタルデータを所定時間毎のブロック単位に圧縮し、前記圧縮データ選択ステップは、前記データ圧縮ステップで圧縮された圧縮データのブロックを選択し、前記再圧縮ステップは、前記圧縮データ選択ステップで選択された圧縮データのブロックを再圧縮する。
【００１７】
また、本発明に係る請求項１３に記載の記録媒体は、画像、音声の少なくとも一つを含む物理データを取得して電気的なデジタルデータに変換するデータ変換ステップと、前記データステップで変換した前記デジタルデータを圧縮するデータ圧縮ステップと、前記データ圧縮ステップで圧縮された圧縮データを記憶媒体に記憶する記憶ステップと、前記記憶媒体の空き容量の情報を取得する空きメモリ情報取得ステップと、前記空きメモリ情報取得ステップで取得した前記記憶媒体の空き容量の情報をもとに前記データ圧縮ステップでの圧縮率を更新する圧縮率更新ステップと、前記記憶媒体に記憶された前記圧縮データを前記更新された圧縮率で再圧縮する再圧縮ステップと、をコンピュータに実行させる。
【発明の効果】
【００１８】
本発明に係る情報記録装置によれば、情報をメディアの空き容量に応じて高画質・高音質で記録することができ、長時間の録画・録音であっても記録することができる。
【発明を実施するための最良の形態】
【００１９】
［第１の実施の形態］  
図１は、本発明の第１の実施の形態に係る情報記録装置１０の構成を示す図である。情報記録装置１０は、表示部１１、操作部１２、入力部１３、記録管理部１４、圧縮・伸張部１５、記録部１６及び処理部１７を備えている。
【００２０】
表示部１１は、液晶などのディスプレイである。操作部１２は、ユーザからの操作指示入力を受取るためのスイッチ等の入力デバイスである。入力部１３は、例えば、記録媒体やデジタルカメラ等の外部装置（不図示）から有線あるいは無線により、画像フアイル、音声ファイル等の情報を取得し、所定の形式に変換する。記録管理部１４は、情報記録装置１０に保存される情報についての管理処理を実行する。圧縮・伸張部１５は、情報の圧縮処理・伸張処理を実行する。記録部１６は、情報を記録する。処理部１７は、情報記録装置１０の各部の動作を統括的に制御する。
【００２１】
続いて、動画情報・音声情報を記録する処理手順を図２を参照しつつ説明する。
【００２２】
ユーザが操作部１２から、情報の記録開始を指示すると、ステップＳ０１において、処理部１７は記録予定時間と現在のメディア残量とから初期の圧縮率ｒを決定する。  
記録予定時間が不明の場合は、予め設定されている値を記録予定時間として使用する。なお、初期の圧縮率ｒは、現在のメディア残量に基づいて決定しても良く、予めユーザが指定している（デフォルトの）圧縮率を使用しても良い。
【００２３】
ステップＳ０３において、一定量の情報の記録あるいは一定時間の情報の記録を行った後、ステップＳ０４において、メディアの残量を確認する。そして、ステップＳ０５において、記録予定時間と現在の圧縮率ｒとからメディア残量の余裕が基準値以下となるかどうかを判断する。  
ステップＳ０５でＮｏの場合、即ち、メディアに最後まで記録できる余裕があると判断したときは、現在の圧縮率ｒを維持して記録を継続する。ステップＳ０５でＹｅｓの場合、即ち、最後まで情報を記録できなくなる恐れがあると判断したときは、ステップＳ０６において、現在の圧縮率ｒを所定量だけ増加した値に変更する。
【００２４】
そして、ステップＳ０７において、変更した圧縮率ｒが予め定めた上限値を上回るかどうかを調べる。ここで、圧縮率ｒの上限値を設定しておくのは、極端な画質の劣化を防止するためである。  
ステップＳ０７でＮｏの場合、即ち、変更した圧縮率ｒが予め定めた上限値以下のときは、変更した圧縮率ｒを維持して記録を継続する。ステップＳ０７でＹｅｓの場合、即ち、変更した圧縮率ｒが予め定めた上限値を超えるときは、ステップＳ０８において、圧縮率ｒを上限値に設定して、現在記録している情報を再圧縮する。これによって、メディアの残量を増加させる。
【００２５】
ステップＳ０９において、増加させた結果のメディア残量が、規定値に満たないかどうかを調べる。  
ステップＳ０９でＮｏの場合、即ち、メディア残量が規定値以上確保できた場合は、圧縮率ｒを上限値として、記録を継続する。ステップＳ０９でＹｅｓの場合、即ち、メディア残量が規定値に満たない場合は、ステップＳ１０において、さらに現在記録中の情報とは関係のない「過去の情報」を再圧縮して、メディア残量の増加を図る。そして、記録を継続する。
【００２６】
ステップＳ０２でＹｅｓの場合、即ち、記録が完了したとき、あるいはメディア残量が０になったときは、その旨を表示部１１に表示して、情報記録処理を終了する。
【００２７】
次に、画像を記録する処理手順を図３を参照しつつ説明する。
【００２８】
ユーザが操作部１２から、画像の記録開始を指示すると、ステップＳ２１において、処理部１７は所定の圧縮率ｒで入力部１３を介して取込まれる画像を圧縮し、ステップＳ２２において、記録部１６に保存する。そして、ステップＳ２３において、メディア残量を調べる。
【００２９】
ステップＳ２４において、メディア残量が十分にあるかどうかを調べる。メディア残量が十分にあるかどうかの判断は、情報記録装置の種類に対応して行うことができる。例えば、デジタルカメラの場合は、現在の画質設定での撮影可能残数を算出することにより判断することができる。  
ステップＳ２４でＹｅｓの場合、即ち、メディア残量が十分にある場合は情報記録処理を終了する。
【００３０】
ステップＳ２４でＮｏの場合、即ち、メディア残量が不足すると予想された場合は、ステップＳ２５において、現在使用している圧縮率ｒが上限値に達しているかどうかを調べる。  
ステップＳ２５でＮｏの場合、即ち、現在使用している圧縮率ｒが上限値に達していない場合は、ステップＳ２６において、圧縮率を高く設定してメディア残量の不足に対応し、情報記録処理を終了する。
【００３１】
ステップＳ２５でＹｅｓの場合、即ち、現在使用している圧縮率ｒが上限値に達すると予想された場合は、ステップＳ２７において、再圧縮が可能なデータがあるかどうかを調べる。  
ステップＳ２７でＹｅｓの場合、即ち、再圧縮が可能なデータがある場合は、ステップＳ２８において、そのデータを検索して再圧縮を行い、情報記録処理を終了する。  
ステップＳ２７でＮｏの場合、即ち、再圧縮が可能なデータがない場合は、ステップＳ２９において、メディア残量が少ないことを示す警告を表示部８に表示して情報記録処理を終了する。
【００３２】
なお、圧縮は、データの種別により、対応するパラメータを調整することで実現する。  
例えば、情報が動画である場合は、画質、フレームレート、フレームサイズをパラメータとして選定することができる。情報が音声である場合は、サンプリングレートをパラメータとして選定することができる。情報が画像である場合は、画質、サイズをパラメータとして選定することができる。
【００３３】
また、過去のデータを再圧縮する場合、再圧縮するデータは種々の基準から選定することができる。  
例えば、（１）情報が生成された（録画、録音、撮影）日付を調べ、古い日付の情報を優先して再圧縮することができる。（２）情報の再生回数を調べ、再生回数が０の情報または再生回数の少ない情報を優先して再圧縮することができる。（３）情報が最後まで再生された回数が０または少ない情報を優先して再圧縮することができる。（４）圧縮率の低い情報を優先して再圧縮することができる。  
また、情報毎に、これら（１）〜（４）の基準を加重して評価し、その結果で優先して再圧縮する情報を決定しても良い。
【００３４】
［実施の形態の効果］  
本実施の形態では、次のような特徴を備えている。  
（１）メディア残量に応じて圧縮率をダイナミックに変更する。  
（２）必要に応じて、現在記録している情報の、既に記録済みの部分について、再圧縮を行う。  
（３）必要に応じて、過去に記録した情報に対して、再圧縮を行う。  
従って、情報を高画質・高音質で記録しつつ、メディアの空き容量を気にする必要が無くなる。また、長時間の録画・録音であっても確実に記録することができる。
【００３５】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００３６】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００３７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３８】
【図１】本発明の第１の実施の形態に係る情報記録装置の構成を示す図。
【図２】動画情報・音声情報を記録する処理手順を示すフロー図。
【図３】画像情報を記録する処理手順を示すフロー図。
【符号の説明】
【００３９】
１０…情報記録装置、１１…表示部、１２…操作部、１３…入力部、１４…記録管理部、１５…圧縮・伸張部、１６…記録部。
【図１】
2007200391.tif 000003
【図２】
2007200391.tif 000004
【図３】
2007200391.tif 000005